(57)【要約】【課題】本発明は、簡易な構成で電力効率を格段と向上し得る画像表示装置及び画像表示方法を実現しようとするものである。【解決手段】画像表示装置及び画像表示方法において、画面モードに応じて設定された複数のモード制御信号を単一の２値化信号に変換してシリアル出力する信号出力手段と、信号出力手段から供給される２値化信号に時分割で割り当てられている各モード制御信号の設定状態を検出するようにしてパラレル変換する信号検出手段と、各モード制御信号の設定状態に基づいて、該当するモード制御信号に応じた画面モードで画像信号に基づく画像を表示させる表示手段とを設け、信号出力手段及び信号検出手段間で各モード制御信号の２値化信号に対する割り当て時点及び順番を取り決めておき、信号検出手段は、表示手段の駆動に用いられる信号を基準としてパラレル変換をするようにした。【選択図】        図２
2005010210.tif 000002
【特許請求の範囲】
【請求項１】
供給される画像信号に基づく画像を表示する画像表示装置において、
画面モードに応じて設定された複数のモード制御信号を単一の２値化信号に変換してシリアル出力する信号出力手段と、
上記信号出力手段から供給される上記２値化信号に時分割で割り当てられている各上記モード制御信号の設定状態を検出するようにしてパラレル変換する信号検出手段と、
各上記モード制御信号の設定状態に基づいて、該当する上記モード制御信号に応じた上記画面モードで上記画像信号に基づく画像を表示させる表示手段と
を具え、上記信号出力手段及び上記信号検出手段間で各上記モード制御信号の上記２値化信号に対する割り当て時点及び順番を取り決めておき、上記信号検出手段は、上記表示手段の駆動に用いられる信号を基準として上記パラレル変換をする
ことを特徴とする画像表示装置。
【請求項２】
上記信号出力手段は、
上記画像信号から分離した同期信号に基づく帰線期間内の上記２値化信号を出力する
ことを特徴とする請求項１に記載の画像表示装置。
【請求項３】
上記信号出力手段は、
上記２値化信号として上記画像信号の標準テレビジョン方式の互換時に使用されるゲートイネーブル信号を兼用する
ことを特徴とする請求項１に記載の画像表示装置。
【請求項４】
供給される画像信号に基づく画像を表示する画像表示方法において、
画面モードに応じて設定された複数のモード制御信号を単一の２値化信号に変換してシリアル出力する第１のステップと、
上記２値化信号に時分割で割り当てられている各上記モード制御信号の設定状態を検出するようにしてパラレル変換する第２のステップと、
各上記モード制御信号の設定状態に基づいて、該当する上記モード制御信号に応じた上記画面モードで上記画像信号に基づく画像を表示させる第３のステップと
を具え、各上記モード制御信号の上記２値化信号に対する割り当て時点及び順番を取り決めておき、上記第２のステップでは、上記画像を表示するための駆動に用いられる信号を基準として上記パラレル変換をする
ことを特徴とする画像表示方法。
【請求項５】
上記第２のステップでは、
上記画像信号から分離した同期信号に基づく帰線期間内の上記２値化信号を出力する
ことを特徴とする請求項４に記載の画像表示方法。
【請求項６】
上記第２のステップでは、
上記２値化信号として上記画像信号の標準テレビジョン方式の互換時に使用されるゲートイネーブル信号を兼用する
ことを特徴とする請求項４に記載の画像表示方法。
【発明の詳細な説明】
【０００１】
【発明の属する技術分野】
本発明は画像表示装置及び画像表示方法に関し、例えば液晶ディスプレイに適用して好適なものである。
【０００２】
【従来の技術】
従来、この種の液晶ディスプレイにおいては、左右反転、上下反転及びアスペクト比の切替等の種々の画面モードがユーザの操作に応じて設定されると、当該画面モードに応じた表示態様で表示画面上に映像を表示するようになされている。
【０００３】
ここで従来の映像表示システムを図８に示す。この映像表示システム１は、ビデオカメラ等の映像出力装置２、パーソナルコンピュータ等の制御装置３及び液晶ディスプレイ４から構成されている。
【０００４】
映像出力装置２から供給されるビデオ信号Ｓ１が、液晶ディスプレイ４におけるコントロールＩＣ部４Ａ内の映像処理部５及び制御信号生成部６に与えられると共に、制御装置２からユーザの操作に応じた各種の制御信号Ｓ２がシリアル通信で当該制御信号生成部６に与えられる。
【０００５】
このコントロールＩＣ部４Ａ内の制御信号生成部６では、ビデオ信号Ｓ１及び制御信号Ｓ２に対してシリアル−パラレル変換を行った後、液晶表示素子９の駆動用や画面モードに応じた各制御信号Ｓ３を表示素子部４Ｂ内の駆動系回路７にパラレル通信で送出すると共に、映像処理部５に対して映像処理用の制御信号Ｓ４を送出する。
【０００６】
例えば、画面モードが上下反転や左右反転の場合、ビデオカメラなどのモニタでは、デザイン又は用途に応じて液晶表示素子の向きを上下左右に変化させるが、送り出す映像に上下左右に反転する機能を持たせるのではなく、当該液晶表示素子９の画面の走査方向を上下左右に切り換えて映像の向きを制御する。
【０００７】
また、画面モードがアスペクトを変えてワイド画面にしたり、サイドブラックを表示する場合でも、同様に駆動系回路７において上下黒表示及び映像の垂直方向の圧縮の機能又は左右黒表示機能を備えている。
【０００８】
コントロールＩＣ部４Ａ内の映像処理部５では、制御信号生成部６から供給される制御信号Ｓ４に基づいて、ビデオ信号Ｓ１に対してＹ／Ｃ分離処理及びコントラスト強調処理等を施した後、表示素子部４Ｂ内のスイッチャ（ＳＷ）８Ａ及び画素スイッチャ（ＳＷ）８Ｂに送出する。
【０００９】
表示素子部４Ｂでは、駆動系回路７は、パラレル通信で受信した各制御信号Ｓ３に基づいて、所定の駆動方式による駆動タイミングで液晶表示素子９を駆動させるための駆動信号Ｓ５をスイッチャ８Ａ及び画素スイッチャ８Ｂを介して映像処理部から得られる映像信号Ｓ１´に応じて液晶表示素子９を駆動することにより、当該映像信号Ｓ１´に基づく１フィールド分の画像を形成して表示するようになされている。
【００１０】
ここで図９に液晶ディスプレイ４における表示素子部４Ｂの構成を示す。この表示素子部４Ｂ内の駆動系回路７は、各制御信号Ｓ３ごとにレベル変換回路１０を有し、コントロールＩＣ部４Ａ内の制御信号生成部６からパラレル通信で送出される各制御信号Ｓ３が駆動用クロック信号Ｓ３Ａ、垂直転送スタート信号Ｓ３Ｂ及び３種類のモード制御信号（例えば左右反転制御信号、アスペクト制御信号及び上下反転制御信号）Ｓ３Ｃ〜Ｓ３Ｅからなる場合には５個のレベル変換回路１０１〜１０５を有する。
【００１１】
この駆動系回路７は、複数のレベル変換回路１０１〜１０５と垂直駆動回路１１と水平駆動回路１２とから構成されている。垂直駆動回路１１には、駆動用クロック信号Ｓ３Ａ、垂直転送スタート信号Ｓ３Ｂ、アスペクト制御信号Ｓ３Ｄ及び上下反転制御信号Ｓ３Ｅが与えられる。また水平駆動回路１２には、左右反転制御信号Ｓ３Ｃ及びアスペクト制御信号Ｓ３Ｄが与えられる。
【００１２】
水平駆動回路１２は、与えられた制御信号Ｓ３に基づく設定内容で液晶表示素子９を走査ラインごとに駆動させるための駆動信号Ｓ５Ａを生成した後、スイッチャ８Ａを介して映像信号Ｓ１´と共に画素スイッチャ８Ｂに送出する。垂直駆動回路１１は、与えられた制御信号Ｓ３に基づく設定内容で液晶表示素子９を画素単位で駆動させるための駆動信号Ｓ５Ｂを生成した後、画素スイッチャ８Ｂに送出する。
【００１３】
この画素スイッチャ８Ｂにおいて、水平駆動回路１２から駆動信号Ｓ５Ａに基づく走査ラインごとの駆動タイミングで供給される映像信号Ｓ１´を、垂直駆動回路１１からの駆動信号Ｓ５Ｂに基づく画素単位の駆動タイミングで液晶表示素子９に供給して当該液晶表示素子９を駆動表示させる。
【００１４】
このようにして液晶表示素子９では、画面モードに応じて、例えば走査方向の制御による上下左右の映像反転や、画面の上下左右に黒マスク表示することによるワイド画面表示等の表示内容で映像信号Ｓ１´に基づく映像を表示させることができるようになされている。
【００１５】
実際にかかる画面モードに応じた複数の制御信号Ｓ３をパラレル通信で表示素子部４Ｂに送出するようになされた液晶ディスプレイ４は既に提案されている（例えば、非特許文献１〜３参照）。
【００１６】
【非特許文献１】
ソニー、ＤＳＣ用モニタ、「平成１５年３月１４日検索」、インターネット＜ＵＲＬ：ｈｔｔｐ：／／ｗｗｗ．ｓｏｎｙ．ｃｏ．ｊｐ／Ｐｒｏｄｕｃｔｓ／ＳＣ−ＨＰ／ＣＸＰＡＬ／ＣＸＰＡＬ−４３／ＰＤＦ／ＡＣＸ３０６ｎｐ．ｐｄｆ＞
【非特許文献２】
ソニー、ＣＡＭ用モニタ、「平成１５年３月１４日検索」、インターネット＜ＵＲＬ：ｈｔｔｐ：／／ｗｗｗ．ｓｏｎｙ．ｃｏ．ｊｐ／Ｐｒｏｄｕｃｔｓ／ＳＣ−ＨＰ／ＣＸＰＡＬ／ＣＸＰＡＬ−４８／ＰＤＦ／ＡＣＸ３１０ｎｐ．ｐｄｆ＞
【非特許文献３】
ソニー、ＣＡＭ用ＥＶＦ、「平成１５年３月１４日検索」、インターネット＜ＵＲＬ：ｈｔｔｐ：／／ｗｗｗ．ｓｏｎｙ．ｃｏ．ｊｐ／Ｐｒｏｄｕｃｔｓ／ＳＣ−ＨＰ／ＣＸＰＡＬ／ＣＸＰＡＬ−４２／ＰＤＦ／ＬＣＸ０３２ｎｐ．ｐｄｆ＞
【００１７】
【発明が解決しようとする課題】
しかしながら、上述のような内部で画面モードに応じた複数の制御信号Ｓ３（Ｓ３Ａ〜Ｓ３Ｅ）をパラレル通信させるようになされた液晶ディスプレイ４においては、当該各制御信号Ｓ３ごとにレベル変換回路１０（１０１〜１０５）を有することから、このうち複数のモード制御信号Ｓ３Ｃ〜Ｓ３Ｅにおいてもそれぞれレベル変換回路１０を対応させて設けていたのでは、装置全体として構成が煩雑となると共に、電力的にも効率が悪くなる問題があった。
【００１８】
本発明は以上の点を考慮してなされたもので、簡易な構成で電力効率を格段と向上し得る画像表示装置及び画像表示方法を提案しようとするものである。
【００１９】
【課題を解決するための手段】
かかる課題を解決するため本発明においては、供給される画像信号に基づく画像を表示する画像表示装置において、画面モードに応じて設定された複数のモード制御信号を単一の２値化信号に変換してシリアル出力する信号出力手段と、信号出力手段から供給される２値化信号に時分割で割り当てられている各モード制御信号の設定状態を検出するようにしてパラレル変換する信号検出手段と、各モード制御信号の設定状態に基づいて、該当するモード制御信号に応じた画面モードで画像信号に基づく画像を表示させる表示手段とを設け、信号出力手段及び信号検出手段間で各モード制御信号の２値化信号に対する割り当て時点及び順番を取り決めておき、信号検出手段は、表示手段の駆動に用いられる信号を基準としてパラレル変換をするようにした。
【００２０】
この結果この画像表示装置では、信号検出手段に供給される各制御信号の信号数に応じて設けられている所定回路の回路数を各モード制御信号を単一化した分だけ減少させることができ、かくして装置内部での部品点数及び配線数を減らすと共に供給電力量をも低減させることができる。
【００２１】
また本発明においては、供給される画像信号に基づく画像を表示する画像表示方法において、画面モードに応じて設定された複数のモード制御信号を単一の２値化信号に変換してシリアル出力する第１のステップと、２値化信号に時分割で割り当てられている各モード制御信号の設定状態を検出するようにしてパラレル変換する第２のステップと、各モード制御信号の設定状態に基づいて、該当するモード制御信号に応じた画面モードで画像信号に基づく画像を表示させる第３のステップとを設け、各モード制御信号の２値化信号に対する割り当て時点及び順番を取り決めておき、第２のステップでは、画像を表示するための駆動に用いられる信号を基準としてパラレル変換をするようにした。
【００２２】
この結果この画像表示方法では、信号検出側に供給される各制御信号の信号数に応じて設けられている所定回路の回路数を各モード制御信号を単一化した分だけ減少させることができ、かくして装置内部での部品点数及び配線数を減らすと共に供給電力量をも低減させることができる。
【００２３】
【発明の実施の形態】
以下図面について、本願発明の一実施の形態について説明する。
【００２４】
（１）本実施の形態による表示システムの構成
図８との対応部分に同一符号を付して示す図１において、２０は全体として本実施の形態による映像表示システムを示し、液晶ディスプレイ２１におけるコントロールＩＣ部２１Ａ及び表示素子部２１Ｂ間で画面モードに応じた複数の制御信号Ｓ１０が単一の配線上でシリアル通信で送出されることを除いて、従来の図８に示す映像表示システム１と同様に構成されている。
【００２５】
すなわち映像出力装置２から供給されるビデオ信号Ｓ１が、液晶ディスプレイ２１におけるコントロールＩＣ部２１Ａ内の映像処理部５及び制御信号生成部２２に与えられると共に、制御装置３からユーザの操作に応じた各種の制御信号Ｓ２がシリアル通信で当該制御信号生成部２２に与えられる。
【００２６】
このコントロールＩＣ部２１Ａ内の制御信号生成部２２では、ビデオ信号Ｓ１及び制御信号Ｓ２に対してシリアル−パラレル変換を行った後、液晶表示素子９の駆動用や画面モードに応じた各制御信号Ｓ１０を表示素子部２１Ｂ内の駆動系回路２３にビデオ信号Ｓ１に同期した所定タイミングでシリアル通信で送出すると共に、映像処理部５に対して映像処理用の制御信号Ｓ４を送出する。
【００２７】
コントロールＩＣ部２１Ａ内の映像処理部５では、制御信号生成部２２から供給される制御信号Ｓ４に基づいて、ビデオ信号Ｓ１に対してＹ／Ｃ分離処理及びコントラスト強調処理等を施した後、表示素子部２１Ｂ内のスイッチャ（ＳＷ）８に送出する。
【００２８】
表示素子部２１Ｂでは、駆動系回路２３は、シリアル通信で受信した各制御信号Ｓ１０に基づいて、所定の駆動方式による駆動タイミングで液晶表示素子９を駆動させるための駆動信号Ｓ１１をスイッチャ８Ａ及び画素スイッチャ８Ｂを介して映像処理部５から得られる映像信号Ｓ１´に応じて液晶表示素子９を駆動することにより、当該映像信号Ｓ１´に基づく１フィールド分の画像を形成して表示するようになされている。
【００２９】
本実施の形態の場合、液晶ディスプレイ２１においては、コントロールＩＣ部２１Ａの制御信号生成部２２は、画面モードに応じた複数のモード制御信号（図示せず）を「Ｈ」又は「Ｌ」レベルに２値化された表示設定用信号Ｓ１０Ａとして、ビデオ信号Ｓ１から分離した同期信号に基づく垂直ブランキング期間にシリアル通信で出力するようになされている。
【００３０】
この表示設定用信号Ｓ１０Ａは、コントロールＩＣ部２１Ａ内の制御信号生成部２２と表示素子部２１Ｂにおける駆動系回路２３内のモード検出部２５（図２）との間で予め取り決めとして設定された信号であり、各モード制御信号（例えば左右反転制御信号、アスペクト制御信号及び上下反転制御信号）が垂直ブランキング期間内のどの時点でかつどの順番で割り当てるかが取り決め事項とされている。
【００３１】
また制御信号生成部２２は、タイミングジェネレータ（ＴＧ）（図示せず）を有し、所定周期のクロックの連続でなる駆動用クロック信号Ｓ１０Ｂを生成すると共に、当該駆動用クロック信号Ｓ１０Ｂにクロック周期に同期したパルスでなる垂直転送スタート信号Ｓ１０Ｃを生成し、当該垂直転送スタート信号Ｓ１０Ｃのパルスの立下りを基準として、上述の取り決めに基づく各モード制御信号の割り当て時点及び順番を決定するようになされている。
【００３２】
ここで図２に本実施の形態による液晶ディスプレイ２１における表示素子部２１Ｂの構成を示す。この表示素子部２１Ｂ内の駆動系回路２３は、各制御信号Ｓ１０ごとにレベル変換回路２４を有し、コントロールＩＣ部２１Ａ内の制御信号生成部２２からパラレル通信で送出される各制御信号Ｓ１０が表示設定用信号Ｓ１０Ａ、駆動用クロック信号Ｓ１０Ｂ及び垂直転送スタート信号Ｓ１０Ｃからなる場合には３個のレベル変換回路２４１〜２４３を有する。
【００３３】
この駆動系回路２３は、複数のレベル変換回路２４（２４１〜２４３）とモード検出回路２５と垂直駆動回路１１と水平駆動回路１２とから構成されている。モード検出回路２５には、表示設定用信号Ｓ１０Ａ、駆動用クロック信号Ｓ１０Ｂ及び垂直転送スタート信号Ｓ１０Ｃがそれぞれレベル変換回路２４（２４１〜２４３）を介してレベル変換された後に与えられる。
【００３４】
モード検出回路２５は、表示設定用信号Ｓ１０Ａに時分割で割り当てられている３種類のモード制御信号（左右反転制御信号、アスペクト制御信号及び上下反転制御信号）の設定状態（表示設定されているか否か）を検出するようになされている。
【００３５】
具体的にモード検出回路２５は、図３に示すように、垂直ブランキング期間を基準として直列接続された複数のシフトレジスタ（Ｓ／Ｒ）Ｒ１〜Ｒ９を有し、レベル変換回路２４２を介して入力された垂直転送スタート信号Ｓ１０Ｃが最左端のシフトレジスタＲ１から入力されると共に、当該各シフトレジスタＲ１〜Ｒ９にはレベル変換回路２４３を介して入力された駆動用クロック信号Ｓ１０Ｂがそれぞれ供給されるようになされている。
【００３６】
これら各シフトレジスタＲ１〜Ｒ９は、駆動用クロック信号Ｓ１０Ｂのクロックパルスの入った数と同じ桁数だけ右にレジスタの内容を順番に移動するようになされている。また垂直転送スタート信号Ｓ１０Ｃは、本来のスタートパルスＳ１０Ｃ´（図４（Ｅ））を変更して、当該スタートパルスのタイミングより意図的にシフトレジスタの所定段数分だけ早いタイミングで出力させるように設定された信号である。
【００３７】
さらにモード検出回路２５は、複数のシフトレジスタＲ１〜Ｒ９のうち、上述した取り決めに基づく各モード制御信号（左右反転制御信号、アスペクト制御信号及び上下反転制御信号）の割り当て時点及び順番に合致するシフトレジスタＲ２、Ｒ４、Ｒ６の出力を受けるようにそれぞれラッチ回路Ｌ１〜Ｌ３が設けられ、当該各ラッチ回路Ｌ１〜Ｌ３にはレベル変換回路２４１を介して入力された表示設定用信号Ｓ１０Ａが並列的に与えられるようになされている。
【００３８】
すなわちモード検出回路２５では、垂直ブランキング期間ＶＢにおける垂直転送スタート信号Ｓ１０Ｃの立下り時点を基準として、駆動用クロック信号Ｓ１０Ｂのクロックに同期したタイミングで、それぞれ当該駆動用クロック信号Ｓ１０Ｂのクロック周期分だけ「Ｈ」レベルとなるパルス（以下、これをモード検出パルスと呼ぶ）ＰＬ１〜ＰＬ３を上述の取り決めに従った時点及び順番で生成する。
【００３９】
そしてモード検出回路２５は、各ラッチ回路Ｌ１〜Ｌ３において、表示設定用信号Ｓ１０Ａ（図４（Ｂ））が「Ｈ」レベルのときモード検出パルスＰＬ１〜ＰＬ３（図４（Ｄ））が「Ｈ」レベルであれば、当該モード検出パルスＰＬ１〜ＰＬ３を表す画面モードが表示設定されていると判断して、シフトレジスタＲ２、Ｒ４、Ｒ６の出力を「Ｈ」レベルの内部モード信号ＳＭ１〜ＳＭ３（図４（Ａ））として出力する。
【００４０】
一方、モード検出回路２５は、各ラッチ回路Ｌ１〜Ｌ３において、表示設定用信号Ｓ１０Ａ（図４（Ｂ））が「Ｌ」レベルのときモード検出パルスＰＬ１〜ＰＬ３（図４（Ｄ））が「Ｈ」レベルであれば、当該モード検出パルスＰＬ１〜ＰＬ３を表す画面モードが表示設定されていないと判断して、シフトレジスタＲ２、Ｒ４、Ｒ６の出力をそのまま保持して以後は入力が変化しても出力を変化させない「Ｌ」レベルの内部モード信号ＳＭ１〜ＳＭ３（図４（Ａ））として出力する。
【００４１】
このようにしてモード検出回路２５は、１フィールド周期で垂直ブランキング期間内に含まれるモード検出パルスＰＬ１〜ＰＬ３の「Ｈ」又は「Ｌ」レベルと、コントローラＩＣ部２１Ａ内の制御信号生成部２２から供給される表示設定用信号Ｓ１０Ａの「Ｈ」又は「Ｌ」レベルとの同期又は非同期に基づいて、双方が「Ｈ」レベルの場合のみ「Ｈ」レベルとなる内部モード信号ＳＭ１〜ＳＭ３を出力することにより、シリアル−パラレル変換を実行し得る。
【００４２】
例えば画面モードとして左右反転及び上下反転が指定されている場合には、図５に示すように、モード検出回路２５では、垂直ブランキング期間ＶＢにおける垂直転送スタート信号Ｓ１０Ｃ（図５（Ｃ））の立下り時点ｔ１を基準として、駆動用クロック信号Ｓ１０Ｂ（図５（Ｂ））クロックに同期したタイミングで、それぞれモード検出パルスＰＬ１〜ＰＬ３（図５（Ｄ）、（Ｆ）、（Ｈ））を上述の取り決めに従った時点及び順番で生成する。
【００４３】
そしてモード検出回路２５は、各ラッチ回路Ｌ１、Ｌ３において、表示設定用信号Ｓ１０Ａ（図５（Ａ））が「Ｈ」レベルのときモード検出パルスＰＬ１、ＰＬ３（図５（Ｄ）、（Ｈ））が「Ｈ」レベルであるので、当該モード検出パルスＰＬ１、ＰＬ３を表す画面モードが表示設定されていると判断して、シフトレジスタＲ２、Ｒ６の出力を「Ｈ」レベルの内部モード信号ＳＭ１、ＳＭ３（図５（Ｅ）、（Ｉ））として出力する。
【００４４】
一方、モード検出回路２５は、各ラッチ回路Ｌ２において、表示設定用信号Ｓ１０Ａ（図５（Ａ））が「Ｌ」レベルのときモード検出パルスＰＬ２（図５（Ｆ））が「Ｈ」レベルであるので、当該モード検出パルスＰＬ２を表す画面モードが表示設定されていないと判断して、シフトレジスタＲ４の出力をそのまま保持して以後は入力が変化しても出力を変化させない「Ｌ」レベルの内部モード信号ＳＭ２（図５（Ｇ））として出力する。その後、１フィールド周期に供給されるスタートパルスＳＰ１（図５（Ｊ））の立下り時点ｔ２で垂直ブランキング期間ＶＢが終了すると同時に表示期間ＤＴが開始する。
【００４５】
続いて垂直駆動回路１１（図２）には、レベル変換回路２４を介して駆動用クロック信号Ｓ１０Ｂが与えられると共に、モード検出回路２５を介して垂直転送スタート信号Ｓ１０Ｃ及び内部モード信号（アスペクト制御信号及び上下反転制御信号）ＳＭ２、ＳＭ３が与えられる。また水平駆動回路１２には、モード検出回路２５を介して内部モード信号（左右反転制御信号及びアスペクト制御信号）ＳＭ１、ＳＭ２が与えられる。
【００４６】
水平駆動回路１２は、与えられた内部モード信号ＳＭ１〜ＳＭ３に基づく設定内容で液晶表示素子９を走査ラインごとに駆動させるための駆動信号Ｓ１１Ａを生成した後、スイッチャ８Ａを介して映像信号Ｓ１´と共に画素スイッチャ８Ｂに送出する。垂直駆動回路１１は、与えられた内部モード信号ＳＭ１〜ＳＭ３に基づく設定内容で液晶表示素子９を画素単位で駆動させるための駆動信号Ｓ１１Ｂを生成した後、画素スイッチャ８Ｂに送出する。
【００４７】
この画素スイッチャ８Ｂにおいて、水平駆動回路１２から駆動信号Ｓ１１Ａに基づく走査ラインごとの駆動タイミングで供給される映像信号Ｓ１´を、垂直駆動回路１１からの駆動信号Ｓ１１Ｂに基づく画素単位の駆動タイミングで液晶表示素子９に供給して当該液晶表示素子９を駆動表示させる。
【００４８】
このようにして液晶表示素子９では、画面モードに応じて、例えば走査方向の制御による上下左右の映像反転や、画面の上下左右に黒マスク表示することによるワイド画面表示等の表示内容で映像信号Ｓ１´に基づく映像を表示させることができるようになされている。
【００４９】
（２）本実施の形態による動作及び効果
以上の構成において、この映像表示システム２０では、液晶ディスプレイ２１内のコントロールＩＣ部２１Ａから表示素子部２１Ｂに画面モードに応じた複数のモード制御信号をシリアル通信で送出する際、当該複数のモード制御信号を２値化信号でなる表示設定用信号Ｓ１０Ａとして、ビデオ信号Ｓ１から分離した同期信号に基づく垂直ブランキング期間内に出力する。
【００５０】
その前提として、コントロールＩＣ部２１Ａ及び表示素子部２１Ｂ間では、垂直ブランキング期間内のどの時点でかつどの順番で各モード制御信号を割り当てるかの取り決めが決定されており、表示素子部２１Ｂは、当該取り決めに従って表示設定用信号Ｓ１０Ａに時分割で割り当てられている複数のモード制御信号の設定状態を検出するようにしてシリアル−パラレル変換を実行する。
【００５１】
このようにして液晶ディスプレイ２１内の表示素子部２１Ｂにおいて、コントロールＩＣ部２１Ａから供給される制御信号Ｓ１０の信号数に応じてレベル変換回路２４を設けるようになされているが、画面モードに応じた各モード制御信号を表示設定用信号Ｓ１０Ａとしてシリアル通信で供給するようにした分、レベル変換回路２４の回路数を減少させることができ、装置内部での部品点数及び配線数を減らすと共に供給電力量をも低減させることができる。
【００５２】
また表示設定用信号Ｓ１０Ａを垂直ブランキング期間内にシリアル通信で出力するようにしたことにより、画面モードの切替えによって液晶表示素子９において画面上でノイズとして現れるのを未然に防止することができる。
【００５３】
以上の構成によれば、この映像表示システム２０において、液晶ディスプレイ２１内のコントロールＩＣ部２１Ａから表示素子部２１Ｂに画面モードに応じた複数のモード制御信号を２値化信号でなる表示設定用信号Ｓ１０Ａとして、ビデオ信号Ｓ１から分離した同期信号に基づく垂直ブランキング期間内にシリアル通信で出力すると共に、当該表示設定用信号Ｓ１０Ａに時分割で割り当てられている複数のモード制御信号の設定状態を検出するようにしてシリアル−パラレル変換するようにしたことにより、液晶ディスプレイ２１内の表示素子部２１Ｂ内で供給される各制御信号の信号数に応じて設けられているレベル変換回路２４の回路数を各モード制御信号を単一化した分だけ減少させることができ、この結果、装置内部での部品点数及び配線数を減らすと共に供給電力量をも低減させることができる。
【００５４】
（３）他の実施の形態
なお上述のように本実施の形態においては、供給されるビデオ信号（画像信号）Ｓ１に基づく画像を表示する画像表示装置として、図１に示すような映像表示システム２０における液晶ディスプレイ２１を適用するようにした場合について述べたが、本発明はこれに限らず、その他種々の画像表示装置に広く適用するようにしても良い。
【００５５】
また上述のように本実施の形態においては、画面モードに応じて設定された複数のモード制御信号を単一の表示設定用信号（２値化信号）Ｓ１０Ａに変換してシリアル出力する信号出力手段として、液晶ディスプレイ２１におけるコントロールＩＣ部２１Ａ内の制御信号生成部２２を適用するようにした場合について述べたが、本発明はこれに限らず、この他種々の構成からなる信号出力手段を適用するようにしても良い。
【００５６】
この制御信号生成部（信号出力手段）２２は、ビデオ信号（画像信号）Ｓ１から分離した同期信号に基づく垂直ブランキング期間（帰線期間）内の表示設定用信号（２値化信号）Ｓ１０Ａを出力するようにしたが、画面モードの切替えによって液晶表示素子９において画面上でノイズとして現れるのを未然に防止することができれば、垂直ブランキング期間でフィールド周期でモード検出パルスをサンプリングするのみならず、水平ブランキング期間で１ライン周期でモード検出パルスをサンプリングするようにしても良く、さらにはマスタクロック（ドットクロック）単位でサンプリングするようにしても良い。
【００５７】
また制御信号生成部（信号出力手段）２２は、新たに表示設定用信号（２値化信号）Ｓ１０Ａを設けた場合について、本実施の形態で適用したが、これに限らず、ビデオ信号（画像信号）Ｓ１の標準テレビジョン方式の互換時に使用されるゲートイネーブル信号を兼用するようにしても良い。
【００５８】
すなわち図２との対応部分に同一符号を付した図６に示すように、表示素子部３０内の駆動系回路３１において、垂直駆動回路１１では、レベル変換回路２４を介してゲートイネーブル信号Ｓ１０Ｇが与えられると共に、モード検出回路２５を介して垂直転送スタート信号Ｓ１０Ｃ及び内部モード信号（アスペクト制御信号及び上下反転制御信号）ＳＭ２、ＳＭ３が与えられる。また水平駆動回路１２には、モード検出回路２５を介して内部モード信号（左右反転制御信号及びアスペクト制御信号）ＳＭ１、ＳＭ２が与えられる。
【００５９】
図５との対応部分に同一符号を付した図７に示すように、図５（Ａ）の表示設定用信号Ｓ１０Ａに代えて図７（Ａ）のゲートイネーブル信号Ｓ１０Ｇが適用されたものである。このゲートイネーブル信号Ｓ１０Ｇは、ビデオ信号（画像信号）Ｓ１の表示期間の間だけＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式及びＰＡＬ（Ｐｈａｓｅ  Ａｌｔｅｒｎａｔｉｏｎ  ｂｙ  Ｌｉｎｅ）方式で有効に使用する信号であり、そのうち不使用期間をＰＡＬ方式で間引く際に使用する信号である。かかるゲートイネーブル信号Ｓ１０Ｇの不使用期間を、上述の帰線期間として使用すれば本発明を適用し得る。
【００６０】
さらに上述のように本実施の形態においては、コントロールＩＣ部２１Ａ内の制御信号生成部（信号出力手段）２２から供給される表示設定用信号（２値化信号）Ｓ１０Ａに時分割で割り当てられている各モード制御信号の設定状態を検出するようにしてパラレル変換する信号検出手段として、液晶ディスプレイ２１における表示素子部２１Ｂ内の駆動系回路２３に設けられたモード検出回路２５を適用するようにした場合について述べたが、本発明はこれに限らず、上述のようなモード検出及びパラレル変換を行うことができれば、この他種々の構成からなる信号検出手段を適用するようにしても良い。
【００６１】
このモード検出部（信号検出手段）２５は、制御信号生成部（信号出力手段）２２との間で各モード制御信号の表示設定用信号（２値化信号）Ｓ１０Ａに対する割り当て時点及び順番を取り決めておき、液晶表示素子（表示手）９の駆動に用いられる駆動用クロック信号Ｓ１０Ｂ及び垂直転送スタート信号Ｓ１０Ｃを基準としてパラレル変換をするようにしたが、水平ブランキング期間で１ライン周期でモード検出パルスをサンプリングする場合や、マスタクロック（ドットクロック）単位でサンプリングする場合には、これらに該当する液晶表示素子（表示手段）９の駆動用の各種クロック等を適用するようにしても良い。
【００６２】
さらに上述のように本実施の形態においては、各モード制御信号の設定状態に基づいて、該当するモード制御信号に応じた画面モードでビデオ信号（画像信号）Ｓ１に基づく画像を表示させる表示手段として、液晶ディスプレイ２１における表示素子部２１Ｂ内の液晶表示素子９を適用するようにした場合について述べたが、本発明はこれに限らず、この他種々の構成からなる表示手段に広く適用するようにしても良い。
【００６３】
【発明の効果】
上述のように本発明によれば、供給される画像信号に基づく画像を表示する画像表示装置において、画面モードに応じて設定された複数のモード制御信号を単一の２値化信号に変換してシリアル出力する信号出力手段と、信号出力手段から供給される２値化信号に時分割で割り当てられている各モード制御信号の設定状態を検出するようにしてパラレル変換する信号検出手段と、各モード制御信号の設定状態に基づいて、該当するモード制御信号に応じた画面モードで画像信号に基づく画像を表示させる表示手段とを設け、信号出力手段及び信号検出手段間で各モード制御信号の２値化信号に対する割り当て時点及び順番を取り決めておき、信号検出手段は、表示手段の駆動に用いられる信号を基準としてパラレル変換をするようにしたことにより、信号検出手段に供給される各制御信号の信号数に応じて設けられている所定回路の回路数を各モード制御信号を単一化した分だけ減少させることができ、この結果、装置内部での部品点数及び配線数を減らすと共に供給電力量をも低減させることができ、かくして簡易な構成で電力効率を格段と向上し得る画像表示装置を実現できる。
【００６４】
また本発明によれば、供給される画像信号に基づく画像を表示する画像表示方法において、画面モードに応じて設定された複数のモード制御信号を単一の２値化信号に変換してシリアル出力する第１のステップと、２値化信号に時分割で割り当てられている各モード制御信号の設定状態を検出するようにしてパラレル変換する第２のステップと、各モード制御信号の設定状態に基づいて、該当するモード制御信号に応じた画面モードで画像信号に基づく画像を表示させる第３のステップとを設け、各モード制御信号の２値化信号に対する割り当て時点及び順番を取り決めておき、第２のステップでは、画像を表示するための駆動に用いられる信号を基準としてパラレル変換をするようにしたことにより、信号検出側に供給される各制御信号の信号数に応じて設けられている所定回路の回路数を各モード制御信号を単一化した分だけ減少させることができ、この結果、装置内部での部品点数及び配線数を減らすと共に供給電力量をも低減させることができ、かくして簡易な構成で電力効率を格段と向上し得る画像表示方法を実現できる。
【図面の簡単な説明】
【図１】本実施の形態による映像表示システムの構成を示すブロック図である。
【図２】図１に示す液晶ディスプレイ内の表示素子部の構成を示すブロック図である。
【図３】図２に示す表示素子部内のモード検出回路の構成を示すブロック図である。
【図４】モード遷移タイミングの説明に供するタイミングチャートである。
【図５】モード検出回路の動作タイミングの説明に供するタイミングチャートである。
【図６】他の実施の形態による液晶ディスプレイ内の表示素子部の構成を示すブロック図である。
【図７】他の実施の形態によるモード検出回路の動作タイミングの説明に供するタイミングチャートである。
【図８】従来の映像表示システムの構成を示すブロック図である。
【図９】従来の液晶ディスプレイ内の表示素子部の構成を示すブロック図である。
【符号の説明】
１、２０……映像表示システム、４、２１…液晶ディスプレイ、４Ａ、２１Ａ……コントロールＩＣ部、４Ｂ、２１Ｂ……表示素子部、６、２２……制御信号生成部、７、２３……駆動系回路、９……液晶表示素子、１０、２４……レベル変換回路、１１……垂直駆動回路、１２……水平駆動回路、２５……モード検出回路。
【図１】
2005010210.tif 000003
【図２】
2005010210.tif 000004
【図３】
2005010210.tif 000005
【図４】
2005010210.tif 000006
【図５】
2005010210.tif 000007
【図６】
2005010210.tif 000008
【図７】
2005010210.tif 000009
【図８】
2005010210.tif 000010
【図９】
2005010210.tif 000011